(57)【要約】【課題】  ジョブメモリの登録及び登録されたメモリジョブを利用した画像形成作業が容易な画像形成装置を実現する。【解決手段】  ジョブメモリの登録操作において、単純で短い設定工程により、必要な登録を行うことが可能になるとともに、登録ジョブを用いてジョブを実行する場合にも、登録ジョブの選択を迅速に行うことができるとともに、確認画面を開く等の煩雑な操作を経ないでジョブを確実に実行することが可能になる。【選択図】        図１４
2005102249.tif 000002
【特許請求の範囲】
【請求項１】
ジョブメモリを有する画像形成装置において、前記ジョブメモリにジョブを登録する登録手段及び、登録されたジョブを表示部にアイコン表示する表示手段を有することを特徴とする画像形成装置。
【請求項２】
前記登録手段によりジョブが登録された場合に、前記表示手段は、表示指令に従って登録されたジョブのアイコンを自動的に表示することを特徴とする請求項１に記載の画像形成装置。
【請求項３】
前記表示手段は、登録されたジョブをアイコン表示するか否かを選択するアイコン選択画面を表示することを特徴とする請求項１に記載の画像形成装置。
【発明の詳細な説明】
【技術分野】
【０００１】
本発明は画像形成装置に関し、特に、画像形成装置の操作部及び操作・表示部の改良に関する。
【背景技術】
【０００２】
複写機、プリンタ、ファクシミリ等の画像形成装置の操作・表示部は、一般に、液晶表示部材を備えたタッチパネルからなる操作・表示部とテンキー、コピー開始釦等のハードキーを有する操作部とから構成される。
【０００３】
多機能化されたデジタル画像形成装置では、液晶構成の表示部を兼ねたタッチパネルを用いることにより対話形式の操作が可能となって多機能を十分に駆使することができるようになっている。
【発明の開示】
【発明が解決しようとする課題】
【０００４】
（１）画像形成条件の基本的な項目に関しては、例えば、記録紙サイズ／Ａ４、倍率／等倍、コピー濃度／自動、片面・両面選択／片面−片面、出力／ソートのように、初期条件が設定され、設定の変更操作が行われない場合には、前記のような初期条件で画像形成が行われる。また、画像形成装置によっては、初期条件を変更設定することが出来るように構成されており、初期条件をオペレータにとって使用頻度の多いものに設定することができる。しかしながら、このように初期条件を変更可能にした画像形成装置においても、設定した初期条件は、変更がない限り設定した条件に維持される。
【０００５】
このために使用頻度の多い条件であっても、初期条件として設定しない限り画像形成の作業を開始する度に変更の設定操作をする必要があって不便であるという問題がある。ジョブメモリ機能を用いて使用頻度の多い画像形成条件を登録する方法もあるが、この様な使い方においても、ジョブメモリから登録ジョブを呼び出す前操作が必要であり、前記の不便さは解消されておらず誤操作や条件設定のし忘れ等が起こりやすい。
【０００６】
（２）画像の操作・表示部には前記したように液晶で構成されたタッチパネルが多く用いられており、タッチパネルを通した操作と液晶画面を用いた表示とにより、オペレータと画像形成装置との間の対話を通して複雑な操作も円滑に実行されるように構成されている。
【０００７】
しかるに、画面構成が複雑化するに従って操作のしやすさが失われることが多くなり、多機能化に反比例して操作性が低下するという問題がある。
【０００８】
（３）多くの多機能化された画像形成装置では、多種類に亘る項目に関して、誤設定が起こらないようにするために、確認画面が設けられている。かかる確認画面は、ジョブメモリを用いたジョブの登録において多くの場合に利用されるが、その他の場合にも、必要に応じてチェック釦の操作により呼び出すことができる。
【０００９】
確認画面には、数項目乃至十数項目の画像形成条件の一覧が表示される。従来の確認画面では、表示項目が全て同一の表示態様で表示されていたために、確認手段として必ずしも適切でないという問題があった。このために、確認における見落としや誤設定が少なくなかった。
【００１０】
（４）使用頻度の多い画像形成条件に関して、ジョブメモリに予め登録しておき、複数の画像形成条件の一つ一つについて設定することなく、画像形成を行うことを可能にしたジョブメモリが多くの画像形成装置に装備されている。
【００１１】
このようなジョブメモリを用いて画像形成を行う場合には、登録されているジョブの一覧を表示する画面がタッチパネルに表示される。オペレータは、所望のジョブを選択しＯＫ釦を押すだけで複数の画像形成条件を一括設定することができる。
【００１２】
また、ジョブメモリにジョブを登録する場合にも、登録ジョブの一覧を示す画面を表示させることが行われる。
【００１３】
このような登録した画像形成条件の一覧を表示する画面は、書込／読出画面と呼ばれ、ジョブ名を表す文字で表示している。
【００１４】
このような文字による表示は、単にジョブ名やジョブ設定者の名前を表示するのみであるために設定した画像形成条件を把握することができないという不便さがある。このために登録したメモリジョブの実行に際しては、確認画面を呼び出して確認する必要がある、ジョブを登録するに際しては、登録済みのジョブを二重登録する可能性がある等の不都合を生ずる。
【００１５】
本発明の目的は、ジョブメモリを用いた画像形成作業における前記の問題を解決し、ジョブメモリの登録及び登録されたメモリジョブを利用した画像形成作業が容易な画像形成装置を実現することを目的とする。
【課題を解決するための手段】
【００１６】
前記した本発明の目的は下記の発明により達成される。
【００１７】
１．ジョブメモリを有する画像形成装置において、前記ジョブメモリにジョブを登録する登録手段及び、登録されたジョブを表示部にアイコン表示する表示手段を有することを特徴とする画像形成装置。
【００１８】
２．前記登録手段によりジョブが登録された場合に、前記表示手段は、表示指令に従って登録されたジョブのアイコンを自動的に表示することを特徴とする前記１に記載の画像形成装置。
【００１９】
３．前記表示手段は、登録されたジョブをアイコン表示するか否かを選択するアイコン選択画面を表示することを特徴とする前記１に記載の画像形成装置。
【発明の効果】
【００２０】
ジョブメモリの登録操作において、単純で短い設定工程により、必要な登録を行うことが可能になるとともに、登録ジョブを用いてジョブを実行する場合にも、登録ジョブの選択を迅速に行うことができるとともに、確認画面を開く等の煩雑な操作を経ないでジョブを確実に実行することが可能になる。
【発明を実施するための最良の形態】
【００２１】
（１）操作・表示部パネル
図１は参考例に係る画像形成装置の操作・表示パネルを示す。
【００２２】
操作・表示パネルは、コピー開始を指示する操作釦であるスタート釦Ａ−１、ストップ・クリア釦Ａ−２、割り込み釦Ａ−３、パワーセーブ釦Ａ−４、テンキーＡ−５、オートリセット釦Ａ−６、ジョブメモリ釦Ａ−７、応用機能釦Ａ−８、モード切換釦Ａ−９、ヘルプ釦Ａ−１０、チェック釦Ａ−１１及び出力設定釦Ａ−１２等が設けられた操作部Ａと、液晶を表示部材とし、タッチパネルで構成された操作・表示部Ｂと、で構成される。
【００２３】
図２は参考例に係る画像形成装置の操作・表示部Ｂに表示される操作表示画面の一つである基本画面１００を示す。
【００２４】
Ｂ−１は装置の状態表示や各種の注意、警告を含む装置からのメッセージを表示するメッセージ表示部、Ｂ−２は枚数表示部、Ｂ−３は予約ジョブリスト表示部である。
【００２５】
Ｂ−４は応用機能設定領域であり、原稿設定釦Ｂ−４ａ、各種の応用機能画面を呼び出す応用機能釦Ｂ−４ｂ、設定して用紙の向きに画像の向きを合わせる自動画像回転機能の解除を行う自動画像回転解除釦Ｂ−４ｃ及び原稿割り込みの設定を行う原稿割り込み釦Ｂ−４ｄが応用機能設定領域Ｂ−４に設けられる。
【００２６】
Ｂ−５はサイズ選択領域であり、トレイ１〜３、手差しトレイ及び大容量トレイ（ＬＣＴ）に対応する釦Ｂ−５ａ〜Ｂ−５ｆが設けられ、各釦には、収納された記録紙のサイズが表示される。サイズの表示は、給紙部に装填された記録紙のサイズ検知信号に基づいて変更される。
【００２７】
Ｂ−６は倍率設定領域であり、倍率表示部Ｂ−６ａ、自動倍率設定釦Ｂ−６ｂ、ズーム釦Ｂ−６ｃ、固定倍率釦Ｂ−６ｄ、等倍釦Ｂ−６ｅを有する。
【００２８】
Ｂ−７は濃度設定領域であり、「明」指示釦Ｂ−７ａ、普通指示釦Ｂ−７ｂ、「暗」指示釦Ｂ−７ｃ及び自動釦Ｂ−７ｄを有する。
【００２９】
Ｂ−８は片面・両面設定領域であり、両面→両面釦Ｂ−８ａ、両面→片面釦Ｂ−８ｂ、片面→両面釦Ｂ−８ｃ及び片面→片面釦Ｂ−８ｄを有する。
【００３０】
Ｂ−９は出力設定領域であり、ステープル表示部Ｂ−９ａ、ステープル釦Ｂ−９ｂ及びＢ−ソート釦９ｃを有する。
【００３１】
以上説明した基本画面１００では、例えば図において斜線で示すように、サイズ選択領域Ｂ−５における自動釦Ｂ−５ｆ、倍率設定領域Ｂ−６における等倍釦Ｂ−６ｅ、濃度設定領域Ｂ−７における自動釦Ｂ−７ｄ、片面・両面設定領域Ｂ−８における片面→片面釦Ｂ−８ｄ及び出力設定領域Ｂ−９におけるソート釦Ｂ−９ｃのようにオペレータの設定操作を待たずに自動的に初期設定され、表示色が反転している。
【００３２】
従って、オペレータがなんらの操作も行うことなくスタート釦Ａ−１を操作したときには、図示の条件で画像形成が行われる。
【００３３】
図３は操作・表示に関連した制御系のブロック図である。１０はＣＰＵ１０Ａ及びメモリ１０Ｂを有するシステム制御部、１１は記録紙に画像を形成する画像形成部、１２はＣＰＵ１２Ａ及びメモリ１２Ｂを有し、操作・表示部Ｂを制御する操作・表示制御部、１３は操作部、１４はカラー液晶構成の表示部である。
【００３４】
操作部１３は図１に示すスタート釦Ａ−１、テンキーＡ−５等のハードキーと、表示部１４に表示される、例えば図２の基本画面１００に設けられた各種の釦からなるソフトキーを有する。
【００３５】
システム制御部１０は、画像形成部１１を制御して画像形成を行うとともに、画像形成部１１からの情報及び操作部１３における設定情報に基づいて、表示部１４を制御する制御信号を生成する。操作・表示制御部１２は制御部１１からの制御信号に基づいて、表示パターンの形成等を行うインターフェースである。
【００３６】
以上説明した操作・表示パネル及び制御系は以下に説明する参考例１〜４に共通の装置構成である。
【００３７】
（２）参考例１
画像形成装置は、一般に初期状態を有している。
【００３８】
初期状態は、オペレータによる設定操作が行われないときに設定されている各種の画像形成条件であり、装置の電源が投入されて装置が立ち上がり、ウォーミングアップの後に設定される状態である。このような初期状態は装置の設置時に設定されるか又はオペレータが行う初期状態の設定操作により設定される。
【００３９】
初期状態は、基本画面１００に表示され、例えば、図２に示すように、サイズ選択に関して「自動」、倍率に関して「等倍」、画像濃度設定に関して「自動」、片面・両面モードに関して「片面→片面」、出力モードに関して「ソート」がそれぞれ初期状態として設定され、その表示が図２のように反転表示となっている。
【００４０】
システム制御部１０は、初期状態の設定を行い、また、各画像形成ジョブの実行において、画像形成条件の変更操作が、操作部Ａ及び操作・表示部Ｂにおいて行われた場合には、設定に対応した画像形成条件の変更設定を行う。そして、画像形成ジョブの終了時に、初期状態へ復帰させる制御を行う。
【００４１】
システム制御部１０は図４に示すように画像形成装置全体の制御を行う制御手段１０Ｃ及び各ジョブ毎に画像形成条件の使用度数を計数する計数手段１０Ｄを有する。
【００４２】
計数手段１０Ｄは、例えば、スタート釦Ａ−１（図１に示す）が１回操作される毎に１を計数する。このような計数については、画像形成装置全体としての計数、即ち、画像形成装置が何回のジョブを実行したかの情報となる計数と、各画像形成条件が何回用いられたかを示す情報、即ち例えば、記録紙サイズに関してはサイズ毎に何回のジョブが実行されたかを示す情報となる計数を計数手段１０Ｄが行う。
【００４３】
本参考例では、初期状態を装置の使用状況に応じて変更することを要旨とする。本参考例によれば、基本画面１００の表示が前記した初期状態の変更に応じて変更される。
【００４４】
図５は初期状態の変更のためのデータを作成する工程を示す。スタート釦Ａ−１の操作や外部からの印刷命令により図５のルーチンが開始される。
【００４５】
Ｓ１において、基本画面１００の表示項目に関する画像形成条件Ｘｉに関して、即ち、記録紙サイズ、倍率、画像濃度、片面・両面についてのモード、出力モードに関して、使用回数１が計数手段１０Ｄにより加算される。画像形成条件Ｘｉの使用回数をｎ（Ｘｉ）で表す。例えば、Ａ４の記録紙サイズで１回の画像形成が行われた場合には、１（Ａ４）と表され、Ａ４使用の画像形成回数が８回であれば、８（Ａ４）と表す。Ｓ２において加算累積した画像形成条件Ｘｉの使用回数（ｎ＋１）（Ｘｉ）を不揮発メモリであるメモリ１０Ｂに記憶する。
【００４６】
計数手段１０Ｄにより計数された画像形成回数ｍが所定回数Ｍ（例えば１００回）に達したときに（Ｓ４のｙｅｓ）、画像形成条件Ｘｉの使用回数ｎ（Ｘｉ）を初期値０にリセットする。このようにして、所定回数Ｍのジョブ実行中における画像形成条件の使用回数ｎ（Ｘｉ）のデータが作成される。データは、画像形成条件Ｘ１〜Ｘｉについて用意される。
【００４７】
図６は初期状態を構成する画像形成条件を設定する設定ルーチンを示す。設定された画像形成条件は基本画面１００に表示される。
【００４８】
Ｓ１０において画像形成条件Ｘｉの使用回数ｎは閾値Ｎと比較される。使用回数ｎが閾値Ｎ以上のときに、初期設定をＸｉに設定する。例えば、記録紙サイズに関してＡ４の使用回数が閾値である５０回以上である場合には、図１における基本画面中のＡ４釦５ｂの表示が反転表示となり、Ａ４サイズが初期設定条件となる。従って、サイズ変更の設定操作をしないで画像形成を行った場合には、Ａ４サイズの記録紙に画像形成が行われる。オペレータが例えば、Ｂ５サイズに設定を変更した場合には、Ｂ−５ｃの表示が反転し、Ｂ５使用の条件に変更される。濃度、倍率等についても同様な初期状態の設定が行われる。
【００４９】
図５の変更用データを作成する工程を、各オペレータ又はクライアント毎に行うようにすることも可能である。複写機の場合のキーカウンタやネットワークプリンタにおけるクライアント毎に図５に示すデータ作成が行われる結果、初期状態及び該初期状態に対する基本画面が各オペレータ又はクライアント毎にカスタマイズされたものに設定される。
【００５０】
また、複写機能とプリンタ機能を有する複合機においては、図５のデータ作成工程を複写機能の実行の場合とプリンタ機能の実行の場合とに分けて行うようにすることもできる。このようにすれば、複写作業における初期状態とプリント作業における初期状態とが、それぞれ別個に設定される。
更に、図５における初期設定において、使用回数ｎ（Ｘｉ）を閾値と比較するのでなく、所定の画像形成回数Ｍ中における各設定項目、即ち、サイズ、倍率、濃度、片面・両面モード及び出力モードに関して最多使用回数を求め、最多回数使用された条件に設定するように構成することも可能である。
【００５１】
（３）参考例２
図７は本発明の参考例２に係る画像形成装置の基本画面１００を示す。図１と同一の表示要素には同一の符号を付しその説明を省略する。
第１表示手段としてのメッセージ表示部Ｂ−１はカラー表示であり、図示のように「トレイ２にペーパーをセットしてください」というメッセージが太字斜体で表している青色で表示される。そして、第２表示手段としての応用機能設定領域Ｂ−４、サイズ選択領域Ｂ−５、倍率設定領域Ｃ−６、濃度設定領域Ｂ−７、片面・両面設定領域Ｂ−８及び出力設定領域Ｂ−９においては、メッセージ表示の色と同色の青色で、メッセージの対象であるトレイ２が表示され、前記第２表示手段のトレイ２以外の部分は白色で表示される。
【００５２】
このように、メッセージと該メッセージの対象である釦の表示を同色とし、他の表示と異なる表示とすることにより、オペレータはメッセージの内容とともに、対応する操作を装置のどの部分に対して行うべきかを直感的に、間違いなく把握し操作を実行するようになる。
【００５３】
図８は、図７に示す表示を実行する表示命令データの構成を示す。命令データは図示のように、図７のメッセージ表示部Ｂ−１に表示されるメッセージを示すメッセージデータＭＤと、メッセージに対応する表示要素を指定する指定データＤＤと、メッセージ及び表示要素の色を示す色データＣＤとからなる。
【００５４】
図８の各種データのテーブルはメモリ１０Ｂに格納されている。システム制御部１０は画像形成部１１や画像形成装置に設けられている各種のセンサからの情報に基づいて、メモリ１０Ｂに格納されているテーブルから図７に示す命令データを選択して、命令データを操作・表示制御部１２に伝送し基本画面１００に、メッセージ及び対応する表示要素を同色で表示する。
【００５５】
図示の例では、トレイ２に設けられた記録紙センサの紙無し検知信号に基づいて、トレイ２への記録紙の補給メッセージが表示された例である。他の表示の例としては、ジャムが発生した場合に、場所毎に異なる色で発生場所を表示し、ジャム解除を促すメッセージを発生場所に応じた色とする等がある。
表示色については一色でもよいし、複数色を用意してメッセージの種類に応じて表示色を変えてもよい。
【００５６】
（４）参考例３
本参考例は、表示領域を領域毎に異なる色で表示し、メッセージを対応する表示領域の色と同一の色で表示するようにしたものである。図９は本参考例に係る画像形成装置の基本画面１００の例を示す。
【００５７】
図の太字斜体で示す第２表示手段としてのサイズ選択領域Ｂ−５は青色で表され、第２表示手段としての他の機能表示領域においては、倍率設定領域Ｂ−６が赤色で、濃度設定領域Ｂ−７が緑色で、片面・両面設定領域Ｂ−８が黄色で、出力モード設定領域Ｂ−９が白色で、それぞれ表示される。そして、例えば、図示のようにサイズ設定に関するメッセージはサイズ選択領域Ｂ−５と同一の色、青色で第１表示手段としてのメッセージ表示部Ｂ−１に表示される。例えば、ステープラにステープル針がない場合には、出力モード設定領域Ｂ−９の表示色、白色でメッセージ表示部Ｂ−１に白色で「ステープル針を補充してください」と言うメッセージが表示される。
【００５８】
このような表示方法によって、オペレータは直感的にメッセージに対応する対策を読み取ることができる。
【００５９】
図１０はメモリ１０Ｂに格納されている各機能表示領域の表示データ及びメッセージ表示部Ｂ−１への表示命令データの構成を示す。
【００６０】
メモリ１０Ｂには図１０（ａ）に示すように、表示領域指示データＡＤと対応する表示色の色データＣＤからなるデータが格納されており、システム制御部１０は各表示領域を対応色で表示する命令を操作・表示制御部１２に伝送して表示領域を所定の色で表示する。システム制御部１０は、また、画像形成部１１や各種センサや操作部１３等からの情報に基づいて、これらの情報に対応するメッセージを選択する。メッセージ表示命令は図１０（ｂ）に示すようにメッセージデータＭＤと色データＣＤとからなる。図１０（ａ）の色データＣＤと図１０（ｂ）の色データＣＤとは、機能表示領域の色とメッセージ領域Ｂ−１の色とが同一になるように対応づけられており、操作・表示制御部１２はシステム制御部１０からの図１０（ｂ）に示す命令を受け取って図９に示す表示を行う。
【００６１】
（５）参考例４
本参考例は、設定した画像形成条件を確認する確認画面の表示において、変更設定した項目を強調表示するようにしたものである。このような強調表示により、設定の見落としや誤設定をすることがなくなるので、設定操作がしやすくなるとともに、誤操作が防止される。
【００６２】
図１１は本参考例に係る画像形成装置の確認画面の一例を示す。確認画面２００は主として、チェック釦Ａ−１１（図１に示す）を操作することにより又はジョブメモリコピーの設定操作における呼び出し操作により表示される画面であり、設定した画像形成条件を確認するために用いられる。
【００６３】
設定手段としての操作部１３から画像形成条件の設定が行われるが、設定操作では、各項目の全てについて設定操作を行うことは少なく、多くの場合に、既存の画面、即ち、初期画面、又は前の画像形成において設定されている画面を利用し、変更項目のみについて設定操作が行われる。
【００６４】
このような設定操作が行われた場合に本参考例においては、図１１に示すように変更の設定操作が行われた項目を太字表示として他の表示と区別して表示する。図示の例では、コピーモード３０ａ、倍率３０ｂ、特殊原稿３０ｃ及び定形／不定形原稿３０ｄについて変更の設定操作が行われた結果、これらの項目が太字表示されている。
【００６５】
図１２は、図１１に示す表示を行う場合の命令データの構成を示す。図示のように命令は、命令の内容を構成する命令データＣＭＤとフォントデータＦＤとからなる。
【００６６】
制御手段としてのシステム制御部１０は、操作部１３からの情報に基づいて、命令データＣＭＤを選択するとともに、命令データＣＭＤ及びフォントデータＦＤを操作・表示部１２に伝送して、図１１に示すように変更のない項目を標準フォントで、変更が行われた項目を太字フォントでそれぞれ確認画面２００に表示させる。
【００６７】
（６）実施の形態１
本実施の形態は、設定された項目を文字でなくアイコンで表示するものである。
【００６８】
ジョブメモリを用いた画像形成ではジョブメモリとしてのメモリ１０Ｂ（図３に示す）に画像形成条件を登録し、また、メモリ１０Ｂに登録された画像形成条件を用いて画像形成が行われる。
【００６９】
図１３はジョブメモリにおけるメモリジョブの書込／読出画面の従来例３００Ｊを示す。
【００７０】
書込／読出画面３００Ｊは１５個の登録釦を有しており、登録済みの釦にはジョブ名が表示される。登録ジョブの表示は図示のように、文字により行われる。
【００７１】
このような文字表示のために、書込・読出画面３００Ｊからはジョブの内容、即ち、メモリジョブにおいて設定した画像形成条件の内容を読み取ることができない。
【００７２】
このためにジョブを確認するためには、例えば、図１１の確認画面を呼び出す必要があり操作が煩雑であった。
【００７３】
図１４は本実施の形態に係る画像形成装置におけるジョブ選択画面３００を示し、ジョブ選択画面３００では登録された各ジョブの内容がアイコンで表示される。ジョブ選択画面３００にアイコン表示する表示手段は図３における操作・表示制御部１２及び表示部１４で構成される。
【００７４】
ジョブ選択画面３００は図１におけるジョブメモリ釦Ａ−７を操作することにより表示手段を構成する表示部１４（図２においては操作・表示部Ｂ）に表示される。図示の例では、Ｄ−１ａ〜Ｄ−１ｉの９個のジョブを登録することができる。例えば、Ｄ−１ｂでは、左から順に表示した、鉛筆書き原稿、反転複写、左上隅ステープルの登録画像形成条件が表示される。
【００７５】
登録手段としてのシステム制御部１０のジョブメモリとしてのメモリ１０Ｂ（図３）への書込、即ち、メモリジョブにおける画像形成条件の設定は次の手順で行われる。
１．基本画面１００（図２に示す）、基本画面１００から呼び出される出力設定画面、原稿設定画面、応用画面及び図１における各種の操作釦を用いて画像形成条件の設定が行われ、設定された画像形成条件は基本画面１００に表示される。
２．図１のジョブメモリ釦Ａ−７を操作して、図１４に示すジョブ選択３００を操作・表示部Ｂに表示させる。
３．ジョブ選択画面３００における９個ある釦Ｄ−１ａ〜Ｄ−１ｉのうちの空き釦を選択してジョブを登録する。
【００７６】
なお、設定した画像形成条件を確認する場合には、図１１に示す確認画面を呼び出して確認が行われる。
４．ジョブ選択画面３００におけるＯＫ釦Ｄ−３を押すことにより設定した画像形成条件でジョブがメモリ１０Ｂに登録される。登録をし直す場合にはキャンセル釦Ｄ−２を操作する。
【００７７】
メモリジョブの読出は次の手順で行われる。
１，図１のジョブメモリ釦Ａ−７を操作して、ジョブ選択画面３００を操作・表示部Ｂに表示させる。
２．所望のジョブを指定すると、ジョブチェックキー（図示せず）が操作・表示部Ｂに表示される。表示されたジョブチェックキーを操作することにより、図１１の確認画面が表示される。表示された画像形成条件で画像形成を開始する場合には、終了釦Ｃ−１（図１１）を操作する。
３．スタート釦Ａ−１（図１）を操作して画像形成を開始する。
【００７８】
図１５は操作・表示制御部１２のメモリ１２Ｂに格納されている表示命令データを示す。
【００７９】
表示命令データはアドレスデータＡＤＤ及びアイコンデータＡＣＤからなり、操作・表示制御部１２はシステム制御部１０からの命令を受けてメモリ１２Ｂに格納されているアイコンデータＡＣＤをアドレスデータＡＤＤを用いてアドレスし、システム制御部１０が指定するアイコンをジョブ選択画面３００に表示する。
【００８０】
図１４のジョブ選択画面の表示内容に関しては、図１６に示すアイコン選択画面を用いて選択設定することができる。
【００８１】
アイコン選択画面４００は図示のようにアイコン表示部Ｅ−１、アイコン表示された機能の内容を説明する説明部Ｅ−２、「表示する」「表示しない」の指示をする指示部Ｅ−３で構成される。
【００８２】
各アイコンについて図示のように「表示する」「表示しない」を指示をして表示を反転させ、ＯＫ釦Ｅ−５を操作することにより、アイコン表示が登録されて、図１４のジョブ選択画面３００においてジョブの内容がアイコン表示される。
【００８３】
図１６のアイコン選択画面は、前記メモリジョブの登録手順中のステップ４において選択し開くことができる。
【００８４】
即ち、前記登録手順中のステップ４において、空き釦Ｄ−１を操作すると、図１６のアイコン選択画面４００に切り替わる。アイコン選択画面４００を用いた前記操作によりアイコンの設定をし、ＯＫ釦Ｅ−５を操作することによりアイコン登録が行われ、図１４のジョブ選択画面に切り替わる。
【００８５】
アイコンの設定毎に登録を取り消す場合には、キャンセル釦Ｅ−４を操作する。
【図面の簡単な説明】
【００８６】
【図１】本発明の参考例に係る画像形成装置の操作・表示パネルを示す図である。
【図２】本発明の参考例に係る画像形成装置の操作・表示部に表示される基本画面を示す図である。
【図３】操作・表示に関連した制御系のブロック図である。
【図４】システム制御部のブロック図である。
【図５】初期状態の変更のためのデータを作成する工程を示すフローチャートである。
【図６】初期状態を構成する画像形成条件を設定する設定ルーチンを示すフローチャートである。
【図７】本発明の参考例２に係る画像形成装置の基本画面を示す図である。
【図８】表示を実行する命令を構成する命令データの構成を示す図である。
【図９】本発明の参考例３に係る画像形成装置の基本画面を示す図である。
【図１０】表示命令データの構成を示す図である。
【図１１】本発明の参考例４に係る画像形成装置の確認画面の一例を示す図である。
【図１２】表示命令データの構成を示す図である。
【図１３】書込／読出画面の従来例を示す図である。
【図１４】本発明の実施の形態１に係る画像形成装置におけるジョブ選択画面を示す図である。
【図１５】表示命令データの構成を示す図である。
【図１６】本発明の実施の形態１に係る画像形成装置におけるアイコン選択画面を示す図である。
【符号の説明】
【００８７】
１０  システム制御部
１０Ａ、１２Ａ  ＣＰＵ
１０Ｂ、１２Ｂ  メモリ
１０Ｃ  制御手段
１０Ｄ  計数手段
１１  画像形成部
１２、Ｂ  操作・表示部
１３、Ａ  操作部
１４  表示部
１００  基本画面
２００  確認画面
３００  ジョブ選択画面
４００  アイコン選択画面
Ａ−１  スタート釦
Ａ−７  ジョブメモリ釦
Ａ−１１  チェック釦
【図１】
2005102249.tif 000003
【図２】
2005102249.tif 000004
【図３】
2005102249.tif 000005
【図４】
2005102249.tif 000006
【図５】
2005102249.tif 000007
【図６】
2005102249.tif 000008
【図７】
2005102249.tif 000009
【図８】
2005102249.tif 000010
【図９】
2005102249.tif 000011
【図１０】
2005102249.tif 000012
【図１１】
2005102249.tif 000013
【図１２】
2005102249.tif 000014
【図１３】
2005102249.tif 000015
【図１４】
2005102249.tif 000016
【図１５】
2005102249.tif 000017
【図１６】
2005102249.tif 000018